(57)【要約】      （修正有）【課題】無線通信システムにおいて設定可能なパイロットを送信するための技術の提供。【解決手段】パイロットの配置はリソースの割り当てに基づいて決定される。パイロットの異なる配置は、リソースの異なる割り当てのために使用され、割り当ては、１以上のフレーム、１以上のＨ−ＡＲＱインターレースのためのものである。各フレームまたはＨ−ＡＲＱインターレースにおけるパイロットの配置は、先のフレームまたはＨ−ＡＲＱインターレースにおけるパイロットの配置に基づいて決定される。パイロットは、パイロットの配置によって決定される時間および周波数位置において送られ、１以上のシンボル周期における１以上のサブキャリア上を送られる。パイロットは、ＩＦＤＭＡ、ＬＦＤＭＡ、ＥＦＤＭＡ、ＯＦＤＭＡまたは幾つかの他の多重化スキームを使用して送られてよい。【選択図】図１
2011254488.tif 000002
【特許請求の範囲】
【請求項１】
少なくとも一つのプロセッサと、該少なくとも一つのプロセッサに結合されたメモリーとを具備した装置であって、前記プロセッサは、
無線通信システムにおける送信のためにリソースの割り当てを決定するように構成され、
またリソースの割り当てに基づいてパイロットを選択し、ここでは、リソースの異なる割り当てのために異なるパイロット配置が使用されるように構成される装置。
【請求項２】
請求項１に記載の装置であって、前記割り当ては少なくとも一つのフレームを含んでなり、各フレームは予め定められた持続時間に亘っている装置。
【請求項３】
請求項２に記載の装置であって、前記少なくとも一つのプロセッサは、もしあれば少なくとも一つの先のフレームにおける少なくとも一つのパイロットの配置に基づいて、各フレームにおける少なくとも一つのパイロットの配置を決定することによって選択するように構成される装置。
【請求項４】
請求項２に記載の装置であって、前記少なくとも一つのプロセッサは、もしあれば少なくとも一つの先のフレームにおける少なくとも一つのパイロットについて使用された少なくとも一つのシンボル周期に基づいて、各フレームにおける少なくとも一つのパイロットについて使用するための少なくとも一つのシンボル周期を決定するように構成される装置。
【請求項５】
請求項２に記載の装置であって、前記パイロットは、前記少なくとも一つのフレームに亘って均一に配置される装置。
【請求項６】
請求項１に記載の装置であって、前記割り当ては、少なくとも一つのＨ−ＡＲＱインターレースについてのものであり、また前記少なくとも一つのプロセッサは、
前記少なくとも一つのＨ−ＡＲＱインターレースの各々における少なくとも一つのパイロットの配置を決定するように構成される装置。
【請求項７】
請求項６に記載の装置であって、前記各Ｈ−ＡＲＱインターレースにおける前記少なくとも一つのパイロットの配置は、前記割り当てにおけるＨ−ＡＲＱインターレースの数に基づいて決定される装置。
【請求項８】
請求項６に記載の装置であって、前記各Ｈ−ＡＲＱインターレースにおける前記少なくとも一つのパイロットの配置は、もしあれば先行するＨ−ＡＲＱインターレースにおける少なくとも一つのパイロットの配置に基づいて決定される装置。
【請求項９】
請求項１に記載の装置であって、異なるパイロットパターンはリソースの異なる割り当てに関連しており、また前記少なくとも一つのプロセッサは、
前記リソースの割り当てに基づいてパイロットについて使用するための少なくとも一つのパイロットパターンを決定するように構成される装置。
【請求項１０】
請求項２に記載の装置であって、前記少なくとも一つのプロセッサは、
もしあれば先のフレームについてのパイロットパターンに基づいて、各フレームについて使用するためのパイロットパターンを決定するように構成される装置。
【請求項１１】
請求項１に記載の装置であって、前記パイロットは時間分割多重化（ＴＤＭ）パイロットを含んでなり、また前記少なくとも一つのプロセッサは、
リソースの割り当てに基づいてＴＤＭパイロットの各々の配置を決定するように構成される装置。
【請求項１２】
請求項１に記載の装置であって、前記少なくとも一つのプロセッサは、
前記パイロットの配置により決定された時間および周波数位置において、前記パイロットを送るように構成される装置。
【請求項１３】
請求項１に記載の装置であって、前記少なくとも一つのプロセッサは、
前記パイロットの配置により決定された時間および周波数位置から前記パイロットを受信するように構成される装置。
【請求項１４】
請求項１に記載の装置であって、前記パイロットは、インターリーブ周波数分割多重アクセス（ＩＦＤＭＡ）を使用して送られる装置。
【請求項１５】
請求項１に記載の装置であって、前記パイロットは、単一キャリア周波数分割多重アクセス（ＳＣ−ＦＤＭＡ）、または直交周波数分割多重アクセス（ＯＦＤＭＡ）を使用して送られる装置。
【請求項１６】
請求項１に記載の装置であって、前記リソースの割り当てが静的であり、全体の送信のために使用される装置。
【請求項１７】
請求項１に記載の装置であって、前記リソースの割り当てが動的であり、送信の間に変化し得る装置。
【請求項１８】
無線通信システムにおける送信のためのリソースの割り当てを決定することと；
該リソースの割り当てに基づいてパイロット配置を選択することを含んでなる方法であって、
リソースの異なる割り当てについては異なるパイロット配置が使用される方法。
【請求項１９】
請求項１８に記載の方法であって、前記割り当ては少なくとも一つのフレームを含んでなり、前記選択することは、
もしあれば少なくとも一つの先のフレームにおける少なくとも一つのパイロットの配置に基づいて、各フレームにおける少なくとも一つのパイロットの配置を決定することを含んでなる方法。
【請求項２０】
請求項１８に記載の方法であって、前記割り当ては少なくとも一つのＨ−ＡＲＱインターレースを含んでなり、また前記選択することは、
もしあれば先行するＨ−ＡＲＱインターレースにおけるにおける少なくとも一つのパイロットの配置に基づいて、各Ｈ−ＡＲＱインターレースにおける少なくとも一つのパイロットの配置を決定することを含んでなる方法。
【請求項２１】
請求項１８に記載の方法であって、前記パイロットは時間分割多重化（ＴＤＭ）パイロットを含んでなり、また前記選択することは、
前記リソースの割り当てに基づいて、前記ＴＤＭパイロットの各々の配置を決定することを含んでなる方法。
【請求項２２】
請求項１８に記載の装置であって、前記パイロットは、単一キャリア周波数分割多重アクセス（ＳＣ−ＦＤＭＡ）、または直交周波数分割多重アクセス（ＯＦＤＭＡ）を使用して送られる方法。
【請求項２３】
無線通信システムにおける送信のためにリソースの割り当てを決定するための手段と；
該リソースの割り当てに基づいてパイロット配置を決定するための手段であって、リソースの異なる割り当てについては異なるパイロット配置が使用される手段と
を具備してなる装置。
【請求項２４】
請求項２３に記載の装置であって、前記割り当ては、少なくとも一つのフレームを含んでなり、また前記選択するための手段は、
もしあれば少なくとも一つの先のフレームにおける少なくとも一つのパイロットの配置に基づいて、各フレームにおける少なくとも一つのパイロットの配置を決定するための手段を含んでなる装置。
【請求項２５】
請求項２３に記載の装置であって、前記割り当ては、少なくとも一つのＨ−ＡＲＱインターレースを含んでなり、また前記選択するための手段は、
もしあれば先行するＨ−ＡＲＱインターレースにおける少なくとも一つのパイロットの配置に基づいて、各Ｈ−ＡＲＱインターレースにおける少なくとも一つのパイロットの配置を決定するための手段を含んでなる装置。
【請求項２６】
請求項２３に記載の装置であって、前記パイロットは時間分割多重化（ＴＤＭ）パイロットを含んでなり、また前記選択するための手段は、
リソースの割り当てに基づいて、ＴＤＭパイロットの各々の配置を決定するための手段を含んでなる装置。
【請求項２７】
請求項２３に記載の装置であって、前記パイロットは単一キャリア周波数分割多重アクセス（ＳＣ−ＦＤＭＡ）、または直交周波数分割多重アクセス（ＯＦＤＭＡ）を使用して送られる装置。
【請求項２８】
プロセッサが読み取り可能な媒体であって、１以上のプロセッサによって実行され得る命令をその上に含んでおり、該命令は、
無線通信における送信のためのリソースの割り当てを決定するための命令と；
該リソースの割り当てに基づいてパイロット配置を選択するための命令であって、リソースの異なる割り当てについては異なるパイロット配置が使用される命令と
を含んでなる媒体。
【請求項２９】
少なくとも一つのプロセッサであって、該プロセッサは、
少なくとも一つの先の送信における少なくとも一つのパイロットの少なくとも一つの位置に基づいて、現在の送信における少なくとも一つのパイロットの少なくとも一つの位置を決定するように；また、
チャンネル情報を得るために、現在の送信および少なくとも一つの先の送信において受信されたパイロットを処理するように
構成されたプロセッサと；
前記少なくとも一つのプロセッサに結合されたメモリーと
を具備してなる装置。
【請求項３０】
請求項２９に記載の装置であって、前記パイロットは時間分割多重化（ＴＤＭ）パイロットを含んでなり、また前記少なくとも一つのプロセッサは、
少なくとも一つの先の送信における少なくとも一つのＴＤＭパイロットの少なくとも一つの位置に基づいて、現在の送信における少なくとも一つのＴＤＭパイロットの少なくとも一つの位置を決定するように構成される装置。
【請求項３１】
請求項２９に記載の装置であって、前記少なくとも一つのプロセッサは、
連続するフレームにおける現在の送信および少なくとも一つの先の送信を受信するように構成される装置。
【請求項３２】
請求項２９に記載の装置であって、前記少なくとも一つのプロセッサは、
多重Ｈ−ＡＲＱインターレース上の現在の送信および少なくとも一つの先の送信を受信するように構成される装置。
【請求項３３】
請求項２９に記載の装置であって、前記チャンネル情報が、チャンネル周波数応答推定値、チャンネルインパルス応答推定値、受信された信号品質推定値、干渉推定値、またはそれらの組合せを含んでなる装置。
【請求項３４】
少なくとも一つの先の送信における少なくとも一つのパイロットの少なくとも一つの位置に基づいて、現在の送信における少なくとも一つのパイロットの少なくとも一つの位置を決定することと；
チャンネル情報を得るために、現在の送信および少なくとも一つの先の送信において受信されたパイロットを処理することと
を含んでなる方法。
【請求項３５】
請求項３４に記載の方法であって、前記パイロットは時間分割多重化（ＴＤＭ）パイロットを含んでなり、また前記現在の送信における少なくとも一つのパイロットの少なくとも一つの位置を決定することは、
少なくとも一つの先の送信における少なくとも一つのＴＤＭパイロットの配置に基づいて、現在の送信における少なくとも一つのＴＤＭパイロットの少なくとも一つの位置を決定することを含んでなる方法。
【請求項３６】
請求項３４に記載の方法であって、更に、
連続するフレームにおける現在の送信および少なくとも一つの先の送信を受信することを含んでなる方法。
【請求項３７】
少なくとも一つの先の送信における少なくとも一つのパイロットの少なくとも一つの位置に基づいて、現在の送信における少なくとも一つのパイロットの配置を決定するための手段と；
チャンネル情報を得るために、現在の送信および少なくとも一つの先の送信において受信されたパイロットを処理するための手段と
を具備してなる装置。
【請求項３８】
請求項３７に記載の装置であって、前記パイロットは時間分割多重化（ＴＤＭ）パイロットを含んでなり、また前記現在の送信における少なくとも一つのパイロットの少なくとも一つの位置を決定するための手段は、
少なくとも一つの先の送信における少なくとも一つのＴＤＭパイロットの少なくとも一つの位置に基づいて、現在の送信における少なくとも一つのＴＤＭパイロットの少なくとも一つの位置を決定するための手段を含んでなる装置。
【請求項３９】
請求項３７に記載の装置であって：更に、
連続するフレームにおいて現在の送信および少なくとも一つの先の送信を受信するための手段を含んでなる装置。
【請求項４０】
プロセッサが読み取り可能な媒体であって、１以上のプロセッサによって実行され得る命令をその上に含んでおり、該命令は、
少なくとも一つの先の送信における少なくとも一つのパイロットの少なくとも一つの位置に基づいて、現在の送信における少なくとも一つのパイロットの少なくとも一つの位置を決定するための命令と；
チャンネル情報を得るために、現在の送信および少なくとも一つの先の送信において受信されたパイロットを処理するための命令と
を含んでなる媒体。
【発明の詳細な説明】
【関連出願の参照】
【０００１】
本件特許出願は、２００５年８月２２日に提出された「ＩＦＤＭＡシステムにおけるパイロットオーバーヘッド低減のための方法」と題する、本願の譲受人に譲渡された米国仮出願第６０／７１０，４２６号の優先権を主張するものであり、該仮出願の内容を本明細書の一部として本願に援用する。
【技術分野】
【０００２】
本件の開示は無線通信に関し、更に特定すれば、無線通信システムにおけるパイロット送信に関する。
【背景技術】
【０００３】
無線通信システムにおいて、送信機は、典型的にはトラヒックデータを処理（例えばコード化およびシンボルマップ作成）して、データのための変調シンボルであるデータシンボルを発生させる。干渉性のシステムについて、送信機は、データシンボルと共にパイロットシンボルを多重化し、該多重化されたデータおよびパイロットシンボルを処理して変調信号を発生させ、無線チャンネルを介してこの信号を送信する。無線チャンネルは、この送信された信号をチャンネル応答で歪ませ、更にノイズおよび干渉で該信号を劣化させる。
【０００４】
受信機は、送信された信号を受信し、該受信された信号を処理して、受信されたデータおよびパイロットシンボルを得る。干渉性データ検出のために、受信機は、受信されたパイロットシンボルに基づいて無線チャンネルの応答性を推定し、チャンネル推定値を得る。次いで、受信機は、該チャンネル推定値を用いて前記受信されたデータシンボルに対してデータ検出（例えば等化）を実行し、送信機により送信されたデータシンボルの推定値であるデータシンボル推定値を得る。次いで、受信機は該データシンボル推定値を処理（例えば復調およびデコード化）して、デコード化されたデータを得る。
【０００５】
チャンネル推定値の品質は、データ検出特性に対して大きな影響を有しており、データシンボル推定値の品質並びにデコード化されたデータの信頼性に影響する。送信機がより多くのパイロットを送信すれば、受信機は、典型的にはより良好なチャンネルを得ることができる。しかし、より多くのパイロットはより大きなオーバーヘッドに対応し、これは当該システムの効率を低下させる。
【０００６】
従って、当該技術においては、パイロットオーバーヘッドを減少させながら良好な特性を得るために、パイロットを効率的な方法で送信するための技術が必要とされている。
【発明の概要】
【０００７】
無線通信システムにおいて、設定可能なパイロットを送信するための技術がここに記載される。一つの側面において、パイロットの配置は、送信のためのリソースの割り当てに基づいて決定される。パイロットの異なる配置は異なるリソースの割り当てのために使用され、これは異なる数のフレーム、異なる数のＨ−ＡＲＱインターレース、異なる数のサブキャリア等に対応してよい。パイロットは、該パイロットの配置によって決定される時間および周波数位置において送信される。各パイロットは、１以上のシンボル周期で、１以上のサブキャリア上を送信されてよい。
【０００８】
リソース割り当ては、１以上の連続的フレームについてのものであってよい。次いで、各フレームにおけるパイロットの配置が、もし存在すれば先のフレームにおけるパイロットの配置に基づいて決定されてよい。割り当てはまた、１以上のＨ−ＡＱＲインターレースのためのものであってよい。次いで、各Ｈ−ＡＲＤインターレースにおけるパイロットの配置が、当該割り当てにおけるＨ−ＡＲＤインターレースの数、もし存在すれば先のＨ−ＡＲＱインターレースにおけるパイロットの配置等々に基づいて決定されてよい。パイロットの配置は、１以上のパイロットパターンによって決定されてよい。リソースの異なる割り当てのために、異なるパイロットパターンが使用されてよい。当該リソース割り当てに基づく使用のために、少なくとも一つのパイロットパターンが選択されてよい。
【０００９】
パイロットは、時間分割多重化（ＴＤＭ）パイロット、および／または幾つかの他の型のパイロットであってよい。該パイロットは、種々の多重化スキーム、例えばＩＦＤＭＡ、ＬＦＤＭＡ、ＥＦＤＭＡ、ＯＦＤＭＡ等を使用して送信されてよい。パイロットおよびデータは、同一または異なる多重化スキームを使用して送信されてよい。
【００１０】
本発明の種々の側面および実施形態を、以下で更に詳細に説明する。
【図面の簡単な説明】
【００１１】
【図１】図１は、送信機および受信機のブロック図を示している。
【図２Ａ】図２Ａは、Ｈ−ＡＲＤ送信を図示している。
【図２Ｂ】図２Ｂは、複数のＨ−ＡＲＤインターレースを示している。
【図３Ａ】図３Ａは、例示的サブキャリア構造を示している。
【図３Ｂ】図３Ｂは、例示的サブキャリア構造を示している。
【図３Ｃ】図３Ｃは、例示的サブキャリア構造を示している。
【図４Ａ】図４Ａは、一つのＨ−ＡＲＱインターレースのための例示的パイロットパターンを示している。
【図４Ｂ】図４Ｂは、二つのＨ−ＡＲＱインターレースのための、図４Ａのパイロットパターンの使用を示している。
【図５Ａ】図５Ａは、二つのＨ−ＡＲＱインターエースのための２フレームパイロットパターンを示している。
【図５Ｂ】図５Ｂは、三つのＨ−ＡＲＱインターエースのための３フレームパイロットパターンを示している。
【図６Ａ】図６Ａは、二つのフレームの送信バーストのためのダイナミックパイロットを示している。
【図６Ｂ】図６Ｂは、三つのフレームの送信バーストのためのダイナミックパイロットを示している。
【図７】図７は、設定可能なパイロットを送信または受信するためのプロセスを示している。
【図８】図８は、設定可能なパイロットをサポートする装置を示している。
【図９】図９は、設定可能なパイロットを受信するためのプロセスを示している。
【図１０】図１０は、設定可能なパイロットを受信するための装置を示している。
【発明の詳細な説明】
【００１２】
本発明の特徴および性質は、図面と共に、以下の詳細な説明から更に明らかになるであろう。ここでの、図面における同じ参照符号は、全体を通して対応するものを特定するものとする。
【００１３】
「例示的」の語は、ここでは、「実施例、例、または例示として働く」ことを意味するために使用される。「例示的」としてここに記載する何れかの実施形態または設計は、必ずしも、他の実施形態または設計に対して好ましいもの、または有利なものとして解釈されるべきものではない。
【００１４】
図１は、無線通信システムにおける送信機１１０および受信機１５０のブロック図を示している。順方向リンク（ダウンリンク）については、送信機１１０はベースステーションの一部であってよく、受信機１５０は端末の一部であってよい。逆方向リンク（アップリンク）については、送信機１１０は端末の一部であってよく、受信機１５０はベースステーションの一部であってよい。ベースステーションは、端末と通信するステーションである。ベースステーションはまた、ベーストランシーバシステム（ＢＴＳ）、アクセスポイント、ノードＢ、または幾つかの他のネットワークエンティティーと称されてよく、またこれらの機能の幾つかまたは全部を含んでよい。端末は固定式であっても移動式であってもよく、またアクセス端末（ＡＴ）、モバイルステーション（ＭＳ）、ユーザ装置（ＵＥ）、および／または幾つかの他のエンティティーと称されてよく、またはそれら機能の幾つかまたは全部を含んでいてよい。端末は、無線装置、携帯電話、個人用携帯情報端末、無線モデム、および手持ち型装置等であってよい。
【００１５】
送信機１１０において、送信（ＴＸ）データおよびパイロットプロセッサ１２０は、トラヒックデータおよびシグナリングの処理（例えば符号化、インターリーブおよびシンボルマップ作成）を行い、データシンボルを発生させる。プロセッサ１２０はまた、パイロットシンボルを発生させて、前記データシンボルおよびパイロットシンボルを多重化させる。一般に、データシンボルはデータのための変調シンボルであり、パイロットシンボルはパイロットのための変調シンボルであり、変調シンボルは信号コンステレーション（例えばＰＳＫまたはＱＡＭ）における点の複素数値であり、シンボルは複素数値である。パイロットは、送信機および受信機の両者がアプリオリに知っているデータ／送信である。変調機１３０は、１以上の多重化スキーム／無線技術のためのデータおよびパイロットシンボルに対して変調を行い、出力チップを発生させる。送信機（ＴＭＴＲ）１３２は、出力チップの処理（例えばアナログへの変換、増幅、フィルタ、および周波数アップコンバート）を行い、アンテナ１３４を介して送信される無線周波数（ＲＦ）変調された信号を発生させる。
【００１６】
受信機１５０において、アンテナ１５２はＲＦ変調された信号を送信機１１０から受信し、また受信された信号を受信機（ＲＣＶＲ）１５４に提供する。受信機１５４は、該受信された信号の調整（例えばフィルタ、増幅、周波数ダウンコンバート、およびデジタル化）を行い、サンプルを提供する。復調機１６０は、該サンプルに対する復調を行い、受信されたデータシンボルおよび受信されたパイロットシンボルを得る。チャンネル推定機／プロセッサ１６２は、受信されたパイロットシンボルに基づいて、種々のタイプのチャンネル情報（例えばチャンネル推定値、受信された信号品質推定値、および干渉推定値等）を誘導してよい。次いで、復調機１６０は、該チャンネル情報を用いて、受信されたデータシンボルに対してデータ検出（例えば等化、または調和したフィルタリング）を行い、データシンボル推定値を与える。ＲＸデータプロセッサ１７０は、該データシンボル推定値の処理（例えばシンボルのデマップ、デインターリーブ、およびデコード）を行い、デコード化されたデータを提供する。一般に、受信機１５０による処理は、送信機１１０による処理に対して相補的である。
【００１７】
コントローラ／プロセッサ１４０および１８０は、それぞれ、送信機１１０および受信機１５０において種々の処理ユニットの動作を指令する。メモリー１４２および１８２は、それぞれ、送信機１１０および受信機１５０のためのプログラムコードおよびデータを保存する。
【００１８】
システム１００は、ハイブリッド自動反復要求（Ｈ−ＡＲＱ）送信スキームを用いてよい。Ｈ−ＡＲＱにおいては、パケットが受信機によって正しくデコード化されるまで、または最大数の送信が送られてしまうまで、送信機はデータパケットのための１以上の送信を送る。Ｈ−ＡＲＱは、チャンネル条件の変化の存在下において、データ送信についての信頼性を改善し、またパケットのためのレート適合をサポートする。
【００１９】
図２Ａは、Ｈ−ＡＲＱ送信を図示している。送信機は、データパケット（パケットＡ）の処理（コード化および変調）を行い、複数（Ｄ）のデータブロックを発生させる。データパケットはまた、コード語等とも称されてよい。データブロックはまた、サブパケットおよびＨ−ＡＲＱ送信等と称されてもよい。当該パケットのための各データブロックは、有利なチャンネル条件下において、受信機が当該パケットを正しくデコード化するのを可能にするための充分な情報を含んでよい。Ｄデータブロックは、典型的には、当該パケットのための異なる冗長性情報を含んでいる。各データブロックは、何らかの持続時間に亘り得るフレームにおいて送信されてよい。該Ｄデータブロックは、パケットが終わるまで一度に一つずつ送られ、該ブロック送信はＱフレームだけ離間される。ここで、Ｑ＞１である。
【００２０】
送信機は、パケットＡのための第一のデータブロック（ブロックＡ１）を、フレームｎにおいて送信する。受信機は、フレームｎ＋ｑにおいて、ブロックＡ１を受信および処理（例えば変調およびデコード化）し、パケットＡが誤ってデコード化されたことを決定し、否定的アクノリッジメント（ＮＡＫ）を送信機に送る。ここでのｑはフィードバック遅延であり、１≦ｑ＜Ｑである。送信機は、フレームｎ＋ＱにおいてＮＡＫを受信し、パケットＡについての第二のデータブロック（ブロックＡ２）を送信する。受信機は、フレームｎ＋Ｑ＋ｑにおいてブロックＡ２を受信し、ブロックＡ１およびＡ２を処理し、パケットＡが誤ってデコード化されたことを決定し、ＮＡＫを送信する。このブロック送信およびＮＡＫ応答は、Ｄ回まで継続されてよい。図２Ａに示す例では、送信機は、フレームｎ＋２Ｑにおいて、パケットＡについての第三のデータブロック（ブロックＡ３）を送信する。受信機は、フレームム＋２Ｑ＋ｑにおいてブロックＡ３を受信し、ブロックＡ１〜Ａ３を処理し、パケットＡが正しくデコード化されたことを決定し、アクノリッジメント（ＡＣＫ）を送信する。糖新規はＡＣＫを受信し、パケットＡの送信を終了する。次いで、送信機は次のデータパケット(パケットＢ)を処理し、同様にしてパケットＢについてのデータブロックを送信する。
【００２１】
図２Ａにおいては、Ｑフレーム毎に新たなデータブロックが送られる。チャンネル利用度を改善するために、送信機は、インターレースされた方法で、Ｑ以下のパケットを送信してよい。
【００２２】
図２Ｂは、複数（Ｑ）のＨ−ＡＲＱインターレースの実施形態を示している。この実施形態において、Ｈ−ＡＲＱインターレース１は、フレームｎ、ｎ＋Ｑ、等々を含んでおり、Ｈ−ＡＲＱインターレース２はフレームｎ＋１、ｎ＋Ｑ＋１、等々を含んでおり、またＨ−ＡＲＱインターレースＱは、フレームｎ＋Ｑ−１、ｎ＋２Ｑ−１、等々を含んでいる。Ｑ個のＨ−ＡＲＱインターレースは、相互に１フレームだけオフセットしている。例えば、Ｑ＝２であれば、Ｈ−ＡＲＱインターレース１は奇数フレームを含んでよく、Ｈ−ＡＲＱインターレース２は偶数フレームを含んでいてよい。一般に、Ｈ−ＡＲＱ再送信遅延Ｑおよびフィードバック遅延ｑは、典型的には送信機および受信機の両方にとって充分な処理時間を提供するように選択される。送信機は、Ｑ個のＨ−ＡＲＱインターレース上でＱ以下のパケットを送信してよい。
【００２３】
システム１００は、種々の多重化スキーム／無線技術、例えば単一キャリア周波数分割多重アクセス（ＳＣ−ＦＤＭＡ）、直交周波数分割多重アクセス（ＯＦＤＭＡ）、コード分割多重アクセス（ＣＤＭＡ）、時間分割多重アクセス（ＴＤＭＡ）、および周波数分割多重アクセス（ＦＤＭＡ）等を利用してよい。ＳＣ−ＦＤＭＡには、インターリーブされたＦＤＭＡ（ＩＦＤＭＡ）、局在化されたＦＤＭＡ（ＬＦＤＭＡ）、およびエンハンストＦＤＭＡ（ＥＦＤＭＡ）が含まれる。ＩＦＤＭＡは分配ＦＤＭＡとも称され、またＬＦＤＭＡはナローバンドＦＤＭＡまたはクラシカルＦＤＭＡとも称される。データおよびパイロットは、（１）ＩＦＤＭＡを用いて、システムバンド幅を横切って均一に分布された均一に分布されたサブキャリア上を送信されてよく、（２）ＬＦＤＭＡを用いて一群の隣接サブキャリア上を送信されてよく、または（３）ＥＦＤＭＡと用いて複数群の隣接サブキャリアの上を送信されてよい。ＯＦＤＭＡは、直交周波数分割多重化（ＯＦＤＭ）を利用する。一般に、変調シンボルは、ＳＣ−ＦＤＭＡを用いて時間ドメインで、またＯＦＤＭＡを用いて周波数ドメインで送られる。ＯＦＤＭＡに関する主な欠点は、高いピーク対平均電力の比（ＰＡＰＲ）であり、これはＯＦＤＭ波形の平均電力に対するピーク電力の比率が高くなり得ることを意味する。ＳＣ−ＦＤＭＡ波形のＰＡＰＲは、使用のために選択された信号コンステレーション（例えばＰＳＫまたはＱＡＭ）における信号点によって決定され、ＯＦＤＭ波形のＰＡＰＲよりも低い。
【００２４】
システム１００は、順方向リンクおよび逆方向リンクのそれぞれについて、１以上の多重化スキームを利用してよい。例えば、システム１００は、（１）順方向リンクおよび逆方向リンクの両者についてＳＣ−ＦＤＭＡを、（２）一方のリンクについてはＳＣ−ＦＤＭＡの一つのバージョン（例えばＬＦＤＭＡ）、他方のリンクについてはＳＣ−ＦＤＭＡ（例えばＩＦＤＭＡ）のもう一つのバージョンを、（３）順方向リンクおよび逆方向リンクの両者についてＯＦＤＭＡを、（４）一方のリンク（例えば逆方向リンク）についてＳＣ−ＦＤＭＡおよび他方のリンク（例えば順方向リンク）についてはＯＦＤＭＡを、または（５）多重化スキームの幾つかの他の組合せを利用してよい。逆方向リンクにはＳＣ−ＦＤＭＡ（例えばＩＦＤＭＡ）を使用して低いＰＡＰＲを達成し、また順方向リンクにはＯＦＤＭＡを使用して潜在的に高いシステム容量を達成するのが望ましい。
【００２５】
図３Ａは、ＩＦＤＭＡおよびＯＦＤＭＡのために使用してよいサブキャリア構造３００を示している。ＢＷ・ＭＨｚのシステム帯域幅は、１〜Ｋの指標を付された複数（Ｋ）の直交サブキャリアに区分され、ここでのＫは如何なる整数値でもよいが、典型的には２の冪数である。これらのサブキャリアはまた、トーンおよび値域（ｂｉｎ）とも称される。隣接するサブキャリアの間の距離は、ＢＷ／Ｋ・ＭＨｚである。単純化のために、以下での説明では、Ｋの合計サブキャリアの全てが送信のために有用であると仮定する。サブキャリア構造３００について、合計Ｋのサブキャリアは、各組がＫの合計サブキャリアに亘って均一に分布されたＮのサブキャリアを含むように、重ならないＳの組にアレンジされ、ここでＫ＝Ｓ・Ｎである。各組における連続的なサブキャリアは、Ｓのサブキャリアにより隔てられている。従って、
ｓ∈｛１，…，Ｓ｝
について、組ｓは、サブキャリアｓ、Ｓ＋ｓ、２Ｓ＋ｓ、…、（Ｎ−１）・Ｓ＋ｓを含んでいる。
【００２６】
図３Ｂは、ＥＦＤＭＡおよびＯＦＤＭＡのために使用し得るサブキャリア構造３１０を示している。サブキャリア構造３１０について、合計Ｋのサブキャリアは、各組がＮの連続的なサブキャリアを含むように重ならないＳの組にアレンジされ、ここでのＫ＝Ｓ・Ｎである。従って、
ｓ∈｛１，…，Ｓ｝
について、組ｓは、（ｓ−１）・Ｎ＋１から、ｓ・Ｎを含んでいる。
【００２７】
図３Ｃは、ＥＦＤＭＡおよびＯＦＤＭＡのために使用してよいサブキャリア構造３２０を示している。サブキャリア構造３２０について，合計Ｋのサブキャリアは、各組がＬの連続的なサブキャリアのＧ群にアレンジされるＮのサブキャリアを含むように、重ならないＳの組にアレンジされ、ここでのＫ＝Ｓ・Ｎであり、またＮ＝Ｇ・Ｌである。合計Ｋのサブキャリアは、次のようにしてＳの組に分配されてよい。合計Ｋのサブキャリアは、最初に複数の周波数範囲に区分され、各周波数範囲はＫ’＝Ｓ・Ｌの連続的なサブキャリアを含んでいる。各周波数範囲は更にＳの群に区分され、各群はＬの隣接するサブキャリアを含んでいる。各周波数範囲について、最初の群のＬのサブキャリアは組１に割り当てられ、次の群のＬのサブキャリアは組２に割り当てられる等々であり、最後の群のＬのサブキャリアは組Ｓに割り当てられる。
【００２８】
ｓ∈｛１，…，Ｓ｝
について、組ｓは、次式を満たす指標Ｋを有するサブキャリアを含んでいる：
（ｓ−１）・Ｌ＜（ｋ modulo Ｋ’）≦ｓ・Ｌ
一般に、サブキャリア構造は如何なる数の組を含んでもよく、各組は如何なる数のサブキャリアを含んでもよい。これらの組は、同じかまたは異なる数のサブキャリアを含んでよく、また各組におけるサブキャリアの数は、Ｋの整数除数であってもよく、そうでなくともよい。各組におけるサブキャリアは、如何なる方法でアレンジされてもよく、例えば、システム帯域幅に亘って均一または不均一に分布されてよい。変調シンボルは、ＳＣ−ＦＤＭＡを用いた時間ドメインまたはＯＦＤＭＡを用いた周波数ドメインにおいて、１以上のサブキャリア組の上を送信されてよい。
【００２９】
ＳＣ−ＦＤＭＡシンボルは、次のように、一つのシンボル周期の中に設定された一つのサブキャリアについて発生されてよい。Ｎのサブキャリア上を送信されるべきＮの変調シンボルは、Ｎの周波数ドメイン値を得るために、Ｎ点高速フーリエ変換を用いて周波数ドメインに変換される。これらＮの周波数ドメイン値は、送信のために使用されるＮのサブキャリアにマッピングされ、ゼロ値は残りのＫ−Ｎサブキャリアにマッピングされる。次いで、Ｋの周波数ドメイン値およびゼロ値に対してＫ点逆ＦＦＴ（ＩＦＦＴ）を実行し、Ｋの時間ドメインサンプルのシーケンスを得る。このシーケンスの最後のＣのサンプルを該シーケンスの開始点にコピーして、Ｋ＋Ｃのサンプルを含むＳＣ−ＦＤＭＡシンボルを形成する。このＣのコピーされたサンプルは、サイクリックプレフィックスと称されることが多く、Ｃはサイクリックプレフィックス長さである。該サイクリックプレフィックスは、周波数選択的フェーディングにより生じるシンボル間干渉（ＩＳＩ）を抑制するために使用される。
【００３０】
ＯＦＤＭシンボルは、次のように一つのシンボル周期について発生される。変調シンボルは、送信に使用されるサブキャリアにマップされ、またゼロの信号値を備えたゼロシンボルは、残りのサブキャリアにマップされる。次いで、前記Ｋの変調シンボルおよびゼロシンボルに対してＫ点ＩＦＦＴを実行し、Ｋの時間ドメインサンプルのシーケンスを得る。該シーケンスの最後のＣサンプルを該シーケンスの開始点にコピーして、Ｋ＋Ｃのサンプルを含んだＯＦＤＭシンボルを形成する。
【００３１】
送信シンボルは、ＯＦＤＭシンボルまたはＳＣ−ＦＤＭＡシンボルであってよい。ＳＣ−ＦＤＭＡシンボルは、ＩＦＤＭＡシンボル、ＬＦＤＭＡシンボル、またはＥＦＤＭＡシンボルであってよい。送信シンボルのＫ＋Ｃのサンプルは、Ｋ＋Ｃのサンプル周期において送信される。シンボル周期は、一つの送信シンボルの持続時間であり、Ｋ＋Ｃのサンプル周期に等しい。
【００３２】
ここに記載するパイロット送信技術は、順方向リンクおよび逆方向リンクのために使用されてよい。この技術はまた、ＳＣ−ＦＤＭＡおよびＯＦＤＭＡのような種々の多重化スキームのために使用されてもよい。明瞭化のために、ＩＦＤＭＡについて、当該技術の一定の側面および実施形態を説明する。
【００３３】
Ｎのサブキャリアの単一の組が、単一のＨ−ＡＲＱインターレース上での送信のために割り当たられてよい。各フレームがＴのシンボル周期に亘るならば、割り当てられたＨ−ＡＲＱインターレースの各フレームにおいてＮ／Ｔの送信単位が利用可能であり、ここでの送信単位は一つのシンボル周期における一つのサブキャリアである。合計でＮ・Ｔのシンボルが、Ｈ−ＡＲＱインターレースの各フレームにおいて送信されてよい。ＯＦＤＭＡについて、Ｎ・Ｔの合計送信単位の中の何れかＰの送信単位がパイロット送信のために使用されてよく、またＰのパイロットシンボルは、これらＰの送信単位上で送信されてよい。ＳＣ−ＦＤＭＡについて、低いＰＡＰＲを維持するために、パイロットはＴＤＭ様式で送信されてよい。この場合、Ｎのパイロットシンボルは、パイロット送信のために使用される各シンボル周期において、Ｎのサブキャリア上で送られてよい。或いは、パイロットシンボルは幾つかのサブキャリア上を送られてよく、またデータシンボルは、所定のシンボル周期における残りのサブキャリア上を送られてよい。この同じシンボル周期におけるパイロットおよびデータの多重化は、より高いＰＡＰＲをもたらす。
【００３４】
一般には、受信機が合理的に良好なチャンネル推定値を誘導することを可能にするために、充分な量のパイロットを送信することが望ましい。該パイロットは、当該チャンネルにおける周波数および時間の変動を捕らえるために、周波数および時間の両方に亘って分布すべきである。ＳＣ−ＦＤＭＡおよびＯＦＤＭＡの両方について、パイロットシンボルの数を増大させることは、チャンネル推定特性を改善する可能性がある。しかし、そのペナルティーは、データ送信のために利用可能な送信単位の数がより小さいことである。この場合、情報ビットが減少され得るか、或いはエラー訂正コードのコード化利得が低下する可能性があり、これは次にカバレッジを減少させ、および／またはデコード化エラーの可能性を増大させる。パイロットはオーバーヘッドを表すので、上記目的を達成しながら、パイロットの量を最小化するのが望ましい。
【００３５】
単純化のために、下記での説明のために次の実施形態が使用される。当該システムは、Ｓ＝４のサブキャリア組にアレンジされるＫ＝１６の総サブキャリアを有している。各サブキャリア組はＮ＝４のサブキャリアを含んでおり、これらは１６の合計サブキャリアに亘って均一に分配される。当該システムはまた、Ｑ＞３Ｈ−ＡＲＱインターレースを有している。各フレームは、Ｔ＝８のシンボル周期に亘り、送信シンボル（例えばＩＦＤＭＡシンボルまたはＯＦＤＭシンボル）は、各シンボル周期において送られてよい。当該システムは、各シンボル周期において異なるサブキャリア組が送信のために使用され得るように、シンボルレートホッピングを使用する。各シンボル周期で使用するための特定のサブキャリア組は、送信機および受信機の両方に知られている周波数ホッピングパターンによって決定されてよい。周波数ホッピングは、周波数多様性を改善する可能性がある。
【００３６】
図４Ａは、パイロットパターン４００の一実施形態を示しており、これは、一つのＨ−ＡＲＱインターレースにおいて単一のサブキャリア組上で送信するために使用されてよい。パイロットパターン４００について、ＴＤＭパイロットは、割り当てられたＨ−ＡＲＱインターレースにおける各フレームの、最初および最後のシンボル周期において送られる。各ＴＤＭパイロットは、全ての割り当てられたサブキャリア上を送られるパイロットシンボルで構成される。ＴＤＭパイロットは、ＳＣ−ＦＤＭＡを使用して送られる送信のための低いＰＡＰＲを維持する。Ｋの合計サブキャリアに亘る各ＴＤＭパイロットの送信は、受信機が、チャンネルにおける周波数変動を捕捉することを可能にし、また当該システム帯域幅に亘るチャンネル応答を推定することを可能にする。Ｋの合計サブキャリアに亘る各ＴＤＭパイロットの送信は、受信機が、当該チャンネルにおける周波数変動を捕捉することを可能にし、最初および最後のシンボル周期におけるＴＤＭパイロットの送信は、受信機が、当該チャンネルにおける時間変動を捕捉することを可能にする。一般に、ＴＤＭパイロットは、（１）時間に亘ってチャンネル変動を捕捉するために合理的に相互に分離されるべきであるが、（２）チャンネル応答の充分な「サンプリング」を可能にするためには離れすぎるべきではない。図４Ａに示されたパイロット配置は、迅速に変化するチャンネル、例えば、担体移動に起因したドップラー効果が高いチャンネルについて有用である可能性がある。図４Ａに示したＴＤＭパイロットが使用されるならば、設計の選択は、送られるＴＤＭパイロットの数および時間軸上でのこれらＴＤＭパイロットの位置に限定されてよい。
【００３７】
一般に、パイロットパターンは、フレーム中の何れかの送信単位上を送られる何れかの数のパイロットを含んでよい。各パイロットパターンがパイロットのフレーム中での異なる配置を有する、異なるパイロットパターンが推定されてよい。最良の特性を与えるパイロットパターンが、使用のために選択されてよい。
【００３８】
パイロットパターン４００は、送信が周期的に、例えば、図４Ａに示すように割り当てられたＨ−ＡＲＤインターレース上をＱフレーム毎に送られるときに、良好な特性を提供する可能性がある。割り当てられたＨ−ＡＲＱインターレースのフレームは時間で離間されるので、チャンネルにおける時間変動は、一つのフレームにおいて、もう一つのフレームでは古く陳腐化しているパイロット観察をもたらす可能性がある。従って、各フレームは、受信機が当該フレームのための良好なチャンネル推定値を誘導することを可能にする充分量のパイロットを含むべきである。
【００３９】
図４Ｂは、二つの連続するＨ−ＡＲＱインターレース上での送信のためのパイロットパターン４００の使用を示している。この例においては、Ｈ−ＡＲＱインターレース１および２が割り当てられ、ＴＤＭパイロットは、各割り当てられたＨ−ＡＲＱインターレースにおける各フレームの最初および最後のシンボル周期内で送られる。図４Ｂに示すように、Ｈ−ＡＲＱインターレース１のフレーム１の最後のシンボル周期内に送られたＴＤＭパイロットは、Ｈ−ＡＲＱインターレース２のフレーム１の最初のシンボル周期内に送られたＴＤＭパイロットに直ぐ隣接している。これらＴＤＭパイロットは本質的に冗長性であり、システムリソースの非効率的な使用を表すであろう。図４Ａおよび図４Ｂに示すように、パイロットパターン４００は、一つのＨ−ＡＲＱインターレース上での送信のためには良好であり得るが、複数の連続するＨ−ＡＲＱインターレース上での送信のためには非効率的である。
【００４０】
一つの側面において、パイロットの量および該パイロットの配置は、送信のためのリソースの割り当てによって決定される。一つの実施形態においては、リソースの異なる割り当てのために異なるパイロットパターンが使用され、これらは異なる数のフレーム、異なる数のＨ−ＡＲＱインターレース、異なる数のサブキャリア等々に対応するかもしれない。１以上のパイロットパターンが、各異なるリソース割り当てのために使用されてよく、またパイロットオーバーヘッドを減少させながら良好な特性を与えるように設計されてよい。
【００４１】
図５Ａは、２−フレームパイロットパターン５００の実施形態を示しており、これは二つの連続するＨ−ＡＲＱインターレースにおける単一のサブキャリア組上での送信のために使用されてよい。多フレームパイロットパターンは、複数の単一フレームパイロットパターンの連鎖と看做されてよい。パイロットパターン５００について、ＴＤＭパイロットはＨ−ＡＲＱインターレース１のフレーム１（またはフレーム１，１）の最初および最後のシンボル周期において送られ、またＴＤＭパイロットは、Ｈ−ＡＲＱインターレース２のフレーム１（またはフレーム１，２）の最後から２番目の周期において送られる。フレーム１，１についてのチャンネル推定は、このフレームの最初および最後のシンボル周期に送られたＴＤＭパイロットに基づいて誘導されてよい。フレーム１，２についてのチャンネル推定は、フレーム１，１の最後のシンボル周期に送られたＴＤＭパイロット、およびフレーム１，２の最後から二番目のシンボル周期に送られたＴＤＭパイロットに基づいて誘導されてよい。
【００４２】
図５Ｂは、３−フレームパイロットパターン５１０の実施形態を示しており、これは三つの連続するＨ−ＡＲＱインターレースにおける単一サブキャリア組上での送信のために使用されてよい。パイロットパターン５１０については、一つのＴＤＭパイロットはＨ−ＡＲＱインターレース１のフレーム１（またはフレーム１，１）の二番目のシンボル周期において送られ、複数のＴＤＭパイロットパターンがＨ−ＡＲＱインターレース２のフレーム１（またはフレーム１，２）の最初および最後のシンボル周期において送られ、且つ、一つのＴＤＭパイロットはＨ−ＡＲＱインターレース３のフレーム１（またはフレーム１，３）の最後から２番目のシンボル周期において送られる。フレーム１，１のためのチャンネル推定値は、当該フレームの二番目のシンボル周期において送られたＴＤＭパイロット、およびフレーム１，２の最初のシンボル周期において送られたＴＤＭパイロットに基づいて誘導されてよい。フレーム１，２についてのチャンネル推定値は、当該フレームの最初および最後のシンボル周期に送られたＴＤＭパイロットに基づいて誘導されてよい。フレーム１，３についてのチャンネル推定値は、フレーム１，２の最後のシンボル周期において送られたＴＤＭパイロット、およびフレーム１，３の最後から二番目のシンボル周期に送られたＴＤＭパイロットに基づいて誘導されてよい。
【００４３】
図５Ａおよび図５Ｂは、それぞれ、二つまたは三つの連続するＨ−ＡＲＱインターレースについての例示パイロットパターンを示している。これらのパイロットパターンは、連続するＴＤＭパイロットの間に７シンボル周期の均一な間隔を維持する。
【００４４】
一つの実施形態において、異なる単一のフレームパイロットパターンは、例えば図５Ａおよび図５Ｂに示すようなリソース割り当てに応じて、異なるフレームについて使用されてよい。この実施形態において、異なるフレームのためのパイロットパターンは、異なるシンボル周期に配置されたＴＤＭパイロットを有してよい。図５Ａに示した実施形態において、フレーム１，２のためのＴＤＭパイロットは、これらフレームにおけるチャンネル推定特性を改善するために、１シンボル周期だけ先に移動される。
【００４５】
もう一つの実施形態においては、各フレームについて同じパイロットパターンが使用されるが、冗長性ＴＤＭパイロットはデータで置き換えられてよい。図５Ａにおいて、ＴＤＭパイロットは、フレーム１，２の最後のシンボル周期（最後から二番目のシンボル周期の代わりに）において送られてよい。図５Ｂにおいて、ＴＤＭパイロットは、フレーム１，２の最初のシンボル周期（二番目のシンボル周期の代わりに）において送られてよく、またＴＤＭパイロットはフレーム１，３の最後のシンボル周期（最後から二番目のシンボル周期の代わりに）において送られてよい。フレームの最後のシンボル周期におけるＴＤＭパイロットまたは後続のフレームの最初のシンボル周期におけるＴＤＭパイロットの何れかは、データで置換されてよい。
【００４６】
一般に、異なる各Ｈ−ＡＲＱ割り当てのために、良好な特性を与えるパイロットパターンの何れかの組を使用してよい。単一フレームのパイロットパターンは、一つのＨ−ＡＲＱインターレースの割り当てのために使用されてよく、２−フレームパイロットパターンは二つのＨ−ＡＲＱインターレースの割り当てのために使用されてよく、３−フレームパイロットパターンは、三つのＨ−ＡＲＱインターレースの割り当てに使用されてよい、等々である。各パイロットパターンは、付随する数のＨ−ＡＲＱインターレースについて良好な特性を提供するように設計されてよい。利用可能なパイロットパターンは、予め送信機および受信機に知られており、両者が、Ｈ−ＡＲＱ割り当てに応じて送信のために使用する特定のパイロットパターンを知るようになっていてよい。
【００４７】
図５Ａおよび図５Ｂは、リソース割り当てが静的で且つ予め知られている場合を示している。各割り当てについて、適正なパイロットパターンは、全体の送信について使用するために選択されてよい。例えば、二つの連続するＨ−ＡＲＱインターレースが割り当てられるならば、パイロットパターン５００が使用されてよく、また三つの連続するＨ−ＡＲＱインターレースが割り当てられるならば、パイロットパターン５１０が使用されてよい。割り当てが変化するときは何時でも異なるパイロットパターンが選択されてよく、これは頻繁に、または稀に生じる可能性がある。
【００４８】
リソース割り当ては動的であってよく、経時的に迅速に変化してよく、遥か前に知られていなくてもよい。この場合、選択されたパイロットパターンは異なる割り当てについては充分に働かない可能性があるので、長期間に亘って使用する特定のパイロットパターンを選択することは可能でないかも知れない。例えば、パケットは、該パケットが終わるまで、所定のＨ−ＡＲＱインターレース上で送られてよく、次いで、このＨ−ＡＲＱインターレース上を新たなパケットが送られてよい。多重アクセスシステムにおいて、利用可能なＨ−ＡＲＱインターレースは全てのユーザによって共有されてよく、Ｈ−ＡＲＱインターレースが利用可能になるときは何時でも、新たなパケットが送られてよい。新たなパケットが何時送られてよいか、並びにこれらパケットを送るために使用されるＨ−ＡＲＱインターレースに関する不確実性が、リソースのダイナミックで且つ予測不能な割り当てをもたらす可能性がある。
【００４９】
一実施形態において、パイロットパターンは、現在および先の割り当てに基づいて動的に選択される。パイロットパターンの選択は、１以上の連続するフレームにおける連続的送信である各送信バースト毎に行われてよい。各送信バーストの持続時間は、予め知られなくてもよい。例えば、次のフレームが割り当てられるか否かは、現在のフレームまで知られないかもしれない。各フレームについてのパイロットパターンは、現在の送信バーストにおける先のフレーム（もしあれば）に使用されたパイロットパターンに基づいて選択されてよい。
【００５０】
図６Ａは、二つのフレームの送信バーストのためのパイロット配置６００の実施形態を示している。この実施形態では、送信バーストの最初のフレームのために単一フレームのパイロットパターン６１０が選択され、存在しない先のフレームにおける如何なるパイロットにも依拠することなく、このフレームのための良好な特性を提供する。パイロットパターン６１０は、当該フレームの最初および最後のシンボル周期にＴＤＭパイロットを含んでいる。送信バーストの第二のフレームについて、先のフレームのために使用されたパイロットパターン６１０を用いて、このフレームのための良好な特性を与えるために、単一フレームのパイロットパターン６１２が選択される。パイロットパターン６１２は、当該フレームの最後の次のシンボル周期にＴＤＭパイロットを含んでいる。パイロットパターン６１２におけるＴＤＭパイロットの配置は、先のフレームにおいて使用されたパイロットパターン６１０のなかのＴＤＭの配置によって決定される。
【００５１】
図６Ｂは、３フレームの送信バーストについてのパイロット配置６０２の実施形態を示している。この実施形態においては、上記で述べたように、パイロットパターン６１０は送信バーストの最初のフレームのために使用され、またパイロットパターン６１２は第二のフレームのために使用される。第三のフレームについては、第二のフレームについて使用されたパイロットパターン６１２を用いてこのフレームのための良好な特性を与えるように、単一フレームのパイロットパターン６１４が選択される。パイロットパターン６１４は、当該フレームの最後から三番目のシンボル周期の中にＴＤＭパイロットを含んでいる。パイロットパターン６１４におけるＴＤＭパイロットの配置は、先のフレームに使用されたパイロットパターン６１２、または先のフレームにおける二つのパイロットパターン６１０および６１２中のＴＤＭパイロットの配置によって決定されてよい。
【００５２】
図６Ａおよび図６Ｂは、パイロットパターンが、連続するＴＤＭパイロットの間に７シンボル周期の均一な間隔を維持する実施形態を示している。この実施形態は、四つ以上のフレームの割り当てをカバーするように拡張されてよい。後続の各フレームについてのＴＤＭパイロットは、同じ間隔を維持するために１シンボル周期だけ先に送られてよい。他のパイロットパターンもまた、送信のために使用されてよい。
【００５３】
送信機および受信機は、両方とも、リソースとして使用される特定のパイロットパターンが動的に割り当てられることを予め知っていてよい。これは、使用するパイロットパターンを運ぶ信号を送るための必要性を回避できる。各リソース割り当てが特定のパイロットパターンに関連するならば、該リソース割り当てを運ぶための信号伝達は、付随するパイロットパターンのための暗示信号と看做されてよい。或いは、信号伝達は、使用するためのパイロットパターンを運ぶために明示的に送られてよい。
【００５４】
図５Ａ〜図６Ｂに示す実施形態において、後のフレームにおけるチャンネル推定に使用するために、受信機は現在および恐らくは先のフレームのパイロット観察を保存してよい。もう一つのフレームにおけるチャンネル推定のために一つのフレームからのパイロット観察を使用することは、パイロット位置の再最適化、並びに後のフレームにおけるパイロットオーバーヘッドの低減を可能にする。従って、全体のシステム効率は、特性に影響を与えることなく改善され得る。
【００５５】
図４Ａ〜図６Ｂは、各シンボル周期が同じ持続時間を有する実施形態を示している。ＴＤＭパイロットはまた、データのためのシンボル周期よりも短いかまたは長いシンボル周期で送られてよい。例えば、約半分の持続時間の短いＴＤＭパイロットは、Ｐパイロットシンボル上でＰ点ＦＦＴを実行し、該Ｐの周波数ドメイン値をＰの割り当てられたサブキャリアにマッピングし、Ｋ／２−Ｐの残りのサブキャリアについてゼロを挿入し、Ｋ／２点ＩＦＦＴを実行し、循環プレフィックスを付することによって発生されてよい。従って、短いＴＤＭパイロットにおける各サブキャリアは、正規のＴＤＭパイロットにおける二つの連続するサブキャリアに亘るであろう。
【００５６】
明瞭化のために、均一に分布されたサブキャリア上で送信されるＴＤＭパイロットと共に、パイロット送信技術を説明してきた。これらのＴＤＭパイロットは、上記で述べたように、ＩＦＤＭＡおよびＯＦＤＭＡについて異なる方法で発生されてよい。パイロット送信技術はまた、他のサブキャリア構造を用いて、ＬＦＤＭＡおよびＥＦＤＭＡについて、並びにＯＦＤＭＡについても使用されてよい。一般に、パイロットは、当該チャンネルにおける周波数および時間の変動を捕捉するために、問題の周波数範囲および時間の両方に亘って分布されるべきである。問題の周波数範囲は、典型的にはデータ送信のために使用される周波数範囲をカバーし、これは全体のシステム帯域幅またはシステム帯域幅の一部であってよい。
【００５７】
図３Ａにおけるサブキャリア構造３００および図３Ｃにおけるサブキャリア構造３２０について、各サブキャリア組は全体のシステム帯域幅に亘っている。一つのサブキャリア組上で送られるＴＤＭパイロットは、次いで、全体のシステム帯域亘ってチャンネル応答を推定するために使用されてよい。ＴＤＭパイロット数の減少は、周波数ホッピングが用いられるか否かに関係なく、上記で述べたようにして達成されてよい。
【００５８】
図３Ｂにおけるサブキャリア構造３１０については、各サブキャリア組は全体のシステム帯域幅の一部のみに亘っている。一つのサブキャリア組上のＴＤＭパイロット組は、次いで、システム帯域幅の一部に亘るチャンネル応答性を推定するために使用されてよい。周波数ホッピングは用いられず且つ異なるフレームにおいて同じサブキャリア組が用いられるならば、ＴＤＭパイロット数の減少は、上記で述べたようにして達成されてよい。周波数ホッピングが用いられ、且つ異なるフレームにおいて異なるサブキャリア組が用いられるときに、二つのフレームが異なる周波数範囲を占めるのであれば、一つのフレームについてのパイロット観察は、もう一つのフレームのために適用可能ではないかもしれない。従って、一つのフレームについてのパイロット観察がもう一つのフレームのために使用され得るときは何時でも、ＴＤＭパイロットの減少が達成され得る。
【００５９】
ＳＣ−ＦＤＭＡおよびＯＦＤＭＡの両方について、ＴＤＭパイロットは上記で述べたように送られてよく、該ＴＤＭパイロットはＳＣ−ＦＤＭＡのためのより低いＰＡＰＲを与える。ＳＣ−ＦＤＭＡおよびＯＦＤＭＡの両方のためのパイロットおよびデータシンボルはまた、ＳＣ−ＦＤＭＡについては高いＰＡＰＲを用いるのではあるが、同じシンボル周期の異なるサブキャリア上で多重化されてよい。パイロットおよびデータの多重化は、パイロットオーバーヘッドを低減する際に、より多くの融通性を提供する可能性がある。例えば、一つのサブキャリア組が割り当てられるとすれば、パイロットは、一つのフレームの最後のシンボル周期におけるサブキャリアの半分、および次のフレームの最初のシンボル周期におけるサブキャリアの半分の上で送られてよい。複数のサブキャリア組が割り当てられるとすれば、パイロットは、一つのサブキャリア組上で送られ、データは残りのサブキャリア組上で送られてよい。
【００６０】
送信機によって送られたパイロットは、種々のタイプのチャンネル情報を誘導するために、受信機によって使用されてよい。該受信機は、受信したパイロットに基づいて、周波数ドメインチャンネル周波数応答性の推定値および／または時間−ドメインチャンネルインパルス応答性の推定値を誘導してよい。該受信機はまた、受信されたパイロットに基づいて、当該送信機について受信した信号品質を推定してよい。信号品質は、信号対ノイズ比（ＳＮＲ）、信号対ノイズおよび干渉比（ＳＩＮＲ）、キャリア対干渉比（Ｃ／Ｉ）、エネルギーパーシンボル対ノイズ比（Ｅｓ／Ｎｏ）等々によって定量されてよい。受信された信号品質は、チャンネル品質指標（ＣＱＩ）レポート、パケットフォーマット、データレート等々によって変換されてよい。受信機はまた、受信されたパイロットに基づいて干渉推定値を誘導してよい。これら種々の推定値を誘導するための技術は当該技術において知られているが、ここには記載しない。
【００６１】
ここに記載したパイロット送信技術は、上記で述べたように、種々の多重化スキームおよび種々のタイプのパイロットのために使用されてよい。当該技術は、ＴＤＭパイロットを利用するシステムについて、例えばＩＦＤＭＡ、ＬＦＤＭＡおよびＥＦＤＭＡのための低いＰＡＰＲを維持するために特に有利である。ＴＤＭパイロットの使用は、パイロットオーバーヘッドを減少する際の自由度を制限する。この技術は、良好な特性を維持しながら、ＴＤＭパイロット並びに他のタイプのパイロットについてのパイロットオーバーヘッドを減少させることができる。
【００６２】
図７は、設定可能なパイロットを送信または受信するためのプロセス７００の実施形態を示している。プロセス７００は、送信機または受信機によって実行されてよい。無線通信システムにおける送信のためのリソース割り当てが決定される（ブロック７１２）。リソースの異なる割り当てのためには、パイロットの異なる配置が使用される。次いで、送信のためのパイロットの配置がリソースの割り当てに基づいて決定される（ブロック７１４）。パイロットは、パイロットの配置により決定された時間および周波数位置において、送信機によって送信（または受信機によって受信）される（ブロック７１６）。
【００６３】
この割り当ては、１以上の連続するフレームについてのものであってよい。次いで、各フレームにおける少なくとも一つのパイロットの配置が、少なくとも一つの先のフレームにおける少なくとも一つのパイロットの配置に基づいて決定されてよい。例えば、現在のフレームにおける少なくとも一つのパイロットについて使用するための少なくとも一つのシンボル周期は、先のフレームにおける少なくとも一つのパイロットについて使用された少なくとも一つのシンボル周期に基づいて決定されてよい。これらのパイロットは、当該フレームに亘って均一に、または他の方法で配置されてよい。
【００６４】
割り当ては、１以上のＨ−ＡＲＱインターレースについてのものであってよい。次いで、各Ｈ−ＡＲＱインターレースにおける少なくとも一つのパイロットの配置が、当該割り当てにおけるＨ−ＡＲＱインターレースの数、先のＨ−ＡＲＱインターレースにおける少なくとも一つのパイロットの配置等々に基づいて決定されてよい。
【００６５】
このリソースの割り当ては、静的であってよく、また全体の送信のために使用されてよい。従って、パイロット配置は静的であってよく、また当該割り当てに基づいてアプリオリに知られていてよい。或いは、リソースの割り当ては動的であってよく、送信の間に変動してもよい。例えば、次のフレームが割り当てられるかどうかは、現在のフレームまでは知られなくてよい。従って、パイロット配置は動的であってよく、追加のリソースが割り当てられるときに確認されてよい。
【００６６】
パイロットの配置は、１以上のパイロットパターンによって決定されてよい。リソースの異なる割り当てについては、異なるパイロットパターンが使用されてよい。この割り当てに基づく使用のために、少なくとも一つのパイロットパターンが選択されてよい。該割り当てが複数の連続するフレームを含んでなるものであれば、各フレームについて使用するためのパイロットパターンは、先のフレームについて使用されるパイロットパターンに基づいて決定されてよい。
【００６７】
一般に、各パイロットは、１以上のシンボル周期における１以上のサブキャリア上を送られてよい。該パイロットはＴＤＭパイロットであってよく、各ＴＤＭパイロットは、予め定められた期間、例えばシンボル周期において、全ての割り当てられたサブキャリア上を送られる。各ＴＤＭパイロットの配置は、当該割り当てに基づいて決定されてよい。該パイロットは、ＩＦＤＭＡ、ＬＦＤＭＡ、ＥＦＤＭＡ、ＯＦＤＭＡ等々のような種々の多重化スキームを使用して送られてよい。パイロットおよびデータは、同じかまたは異なる多重化スキームを使用して送られてよい。
【００６８】
図８は、設定可能なパイロットをサポートする装置８００の実施形態を示している。装置８００は、無線通信システムでの送信についてリソースの割り当てを決定するための１以上のプロセッサ（ブロック８１２）、リソースの割り当てに基づく送信についてのパイロットの配置を決定するための１以上のプロセッサ（ブロック８１４）、並びに当該パイロットの配置により決定され多時間および周波数位置においてパイロットを送信（または受信）するための１以上のプロセッサを含んでいる。
【００６９】
図９は、設定可能なパイロットを受信するためのプロセス９００の実施形態を示している。プロセス９００は、受信機によって実行されてよい。現在の送信における少なくとも一つのパイロットの配置は、少なくとも一つの先の送信における少なくとも一つのパイロットの配置に基づいて決定される（ブロック９１２）。現在の送信および少なくとも一つの先の送信において受信されたパイロットを処理して、チャンネル情報を得る（ブロック９１４）。パイロットの異なる配置は、リソースの異なるリソースの異なる割り当てのために使用されてよい。次いで、現在および先の送信におけるパイロットの配置が、リソースの割り当てに基づいて決定されてよい。現在および先の送信は、異なるＨ−ＡＲＱインターレース等々の上で、連続的フレームにおいて受信されてよい。各送信は、Ｈ−ＡＲＱインターレース等々の上での一つのフレームにおける送信であってよい。当該チャンネル情報には、チャンネル周波数応答予測値、チャンネルインパルス応答予測値、受信された信号品質予測値、干渉予測値、幾つかの他の予測値、またはそれらの組合せが含まれてよい。
【００７０】
図１０は、設定可能なパイロットを受信するための装置１０００の実施形態を示している。装置１０００は、少なくとも一つの先の送信における少なくとも一つのパイロットの配置に基づいて、現在の送信における少なくとも一つのパイロットの配置を決定するための１以上のプロセッサ（ブロック１０１２）と、現在の送信および少なくとも一つの先の送信において受信されたパイロットを処理してチャンネル情報を得るための１以上のプロセッサ（ブロック１０１４）とを含んでいる。
【００７１】
ここに記載するパイロット送信技術は、種々の手段によって実施されてよい。例えば、これら技術はハードウエア、ファームウエア、ソフトウエア、またはそれらの組合せにおいて実施されてよい。ハードウエア実施については、送信機または受信機における処理ユニットが、１以上のアプリケーション特異的集積回路（ＡＳＩＣ）、デジタル信号プロセッサ（ＤＳＰ）デジタル信号処理装置（ＤＳＰＤ）、プログラマブル論理装置（ＰＬＤ）、フィールドプログラマブルゲートアレイ（ＦＰＧＡ）プロセッサ、コントローラ、マイクロコントローラ、マイクロプロセッサ、電子装置、ここに記載した機能を実行するように設計された他の電子ユニット、またはそれらの組合せの中に実装されてよい。
【００７２】
ファームウエアおよび／またはソフトウエア実装のために、当該技術は、ここに記載された機能を実施する１以上のプロセッサによって使用され得る命令（例えば処理、機能等々）用いて実施されてよい。ファームウエアおよび／またはソフトウエアは、メモリー（例えば図１におけるメモリー１４２または１８２）に保存されてよく、また１以上のプロセッサ（例えばプロセッサ１４０または１８０）によって実行されてよい。該メモリーは、該プロセッサ内または該プロセッサの外に実装されてよい。
【００７３】
開示された実施形態の上記説明は、当業者が本発明を製造または使用することを可能にするために提供されるものである。これら実施形態の種々の変更は、当業者には容易に明らかであり、またここに定義された一般的原理は、本発明の精神または範囲から逸脱することなく、他の実施形態に適用されてよい。従って、本発明はここに示された実施形態に限定されること意図するものではなく、ここに開示した原理および新規な特徴に一致する最も広い範囲と調和するものである。
【図１】
2011254488.tif 000003
【図２Ａ】
2011254488.tif 000004
【図２Ｂ】
2011254488.tif 000005
【図３Ａ】
2011254488.tif 000006
【図３Ｂ】
2011254488.tif 000007
【図３Ｃ】
2011254488.tif 000008
【図４Ａ】
2011254488.tif 000009
【図４Ｂ】
2011254488.tif 000010
【図５Ａ】
2011254488.tif 000011
【図５Ｂ】
2011254488.tif 000012
【図６Ａ】
2011254488.tif 000013
【図６Ｂ】
2011254488.tif 000014
【図７】
2011254488.tif 000015
【図８】
2011254488.tif 000016
【図９】
2011254488.tif 000017
【図１０】
2011254488.tif 000018
【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
パイロットオーバーヘッドを減少させながら良好な特性を得るために、設定可能なパイロットを効率的な方法で送信または受信するための装置であって、
a)無線通信システムにおける送信または受信のためにリソースの割り当てを決定し、および
b)リソースの割り当てに基づいてパイロット配置を選択する
ように構成されている少なくとも一つのプロセッサであって、異なる数のフレーム、異なる数のＨ-ＡＲＱインターレース、または異なる数のサブキャリアのいずれかに対応するリソースの異なる割り当てのために異なるパイロット配置が使用される、プロセッサと、
該少なくとも一つのプロセッサに結合されたメモリーであって、前記割り当ては、少なくとも一つのＨ−ＡＲＱインターレースについてのものであり、また前記少なくとも一つのプロセッサは、先行するインターレースにおけるパイロットの前記割り当てまたは配置におけるＨ−ＡＲＱインターレース数に基づいて前記少なくとも一つのＨ−ＡＲＱインターレースの各々における少なくとも一つのパイロットの配置を決定するように構成されている、メモリーと
を具備する装置であって、
前記割り当ては、少なくとも一つのフレームを含んでおり、各フレームは予め定められた持続時間にわたっている、装置。
【請求項２】
請求項１に記載の装置であって、前記少なくとも一つのプロセッサは、もしあれば少なくとも一つの先のフレームにおける少なくとも一つのパイロットの配置に基づいて、各フレームにおける少なくとも一つのパイロットの配置を決定することによって選択するように構成される装置。
【請求項３】
請求項１に記載の装置であって、前記少なくとも一つのプロセッサは、もしあれば少なくとも一つの先のフレームにおける少なくとも一つのパイロットについて使用された少なくとも一つのシンボル周期に基づいて、各フレームにおける少なくとも一つのパイロットについて使用するための少なくとも一つのシンボル周期を決定するように構成される装置。
【請求項４】
請求項１に記載の装置であって、前記パイロットは、前記少なくとも一つのフレームにわたって均一に配置される装置。
【請求項５】
請求項１に記載の装置であって、前記各Ｈ−ＡＲＱインターレースにおける前記少なくとも一つのパイロットの配置は、前記割り当てにおけるＨ−ＡＲＱインターレースの数に基づいて決定される装置。
【請求項６】
請求項１に記載の装置であって、前記各Ｈ−ＡＲＱインターレースにおける前記少なくとも一つのパイロットの配置は、もしあれば先行するＨ−ＡＲＱインターレースにおける少なくとも一つのパイロットの配置に基づいて決定される装置。
【請求項７】
請求項１に記載の装置であって、異なるパイロットパターンはリソースの異なる割り当てに関連しており、また前記少なくとも一つのプロセッサは、
前記リソースの割り当てに基づいてパイロットについて使用するための少なくとも一つのパイロットパターンを決定するように構成される装置。
【請求項８】
請求項１に記載の装置であって、前記少なくとも一つのプロセッサは、
もしあれば先のフレームについてのパイロットパターンに基づいて、各フレームについて使用するためのパイロットパターンを決定するように構成される装置。
【請求項９】
請求項１に記載の装置であって、前記パイロットは時間分割多重化（ＴＤＭ）パイロットを含んでなり、また前記少なくとも一つのプロセッサは、
リソースの割り当てに基づいてＴＤＭパイロットの各々の配置を決定するように構成される装置。
【請求項１０】
請求項１に記載の装置であって、前記少なくとも一つのプロセッサは、
前記パイロットの配置により決定された時間および周波数位置において、前記パイロットを送るように構成される装置。
【請求項１１】
請求項１に記載の装置であって、前記少なくとも一つのプロセッサは、
前記パイロットの配置により決定された時間および周波数位置から前記パイロットを受信するように構成される装置。
【請求項１２】
請求項１に記載の装置であって、前記パイロットは、インターリーブ周波数分割多重アクセス（ＩＦＤＭＡ）を使用して送られる装置。
【請求項１３】
請求項１に記載の装置であって、前記パイロットは、単一キャリア周波数分割多重アクセス（ＳＣ−ＦＤＭＡ）、または直交周波数分割多重アクセス（ＯＦＤＭＡ）を使用して送られる装置。
【請求項１４】
請求項１に記載の装置であって、前記リソースの割り当てが静的であり、全体の送信のために使用される装置。
【請求項１５】
請求項１に記載の装置であって、前記リソースの割り当てが動的であり、送信の間に変化し得る装置。
【請求項１６】
パイロットオーバーヘッドを減少させながら良好な特性を得るために、設定可能なパイロットを効率的な方法で送信または受信するための方法であって、
無線通信システムにおける送信のために異なる数のフレーム、異なる数のＨ-ＡＲＱインターレース、または異なる数のサブキャリアのいずれかに対応するリソースの割り当てを決定することと、ここにおいて、前記割り当ては、少なくとも一つのＨ−ＡＲＱインターレースを具備する、
該リソースの割り当てに基づいてパイロット配置を選択することとを含んでなる方法であって、
リソースの異なる割り当てについては異なるパイロット配置が使用され、ここにおいて、前記選択することは、もしあれば先行するＨ−ＡＲＱインターレースにおける少なくとも一つのパイロットの配置に基づいて、各Ｈ−ＡＲＱインターレースにおける少なくとも一つのパイロットの配置を決定することを具備する、方法。
【請求項１７】
請求項１６に記載の方法であって、前記割り当ては少なくとも一つのフレームを含んでなり、前記選択することは、
もしあれば少なくとも一つの先のフレームにおける少なくとも一つのパイロットの配置に基づいて、各フレームにおける少なくとも一つのパイロットの配置を決定することを含んでなる方法。
【請求項１８】
請求項１６に記載の方法であって、前記パイロットは時間分割多重化（ＴＤＭ）パイロットを含んでなり、また前記選択することは、
前記リソースの割り当てに基づいて、前記ＴＤＭパイロットの各々の配置を決定することを含んでなる方法。
【請求項１９】
請求項１６に記載の装置であって、前記パイロットは、単一キャリア周波数分割多重アクセス（ＳＣ−ＦＤＭＡ）、または直交周波数分割多重アクセス（ＯＦＤＭＡ）を使用して送られる方法。
【請求項２０】
パイロットオーバーヘッドを減少させながら良好な特性を得るために、設定可能なパイロットを効率的な方法で送信または受信するための装置であって、
無線通信システムにおける送信または受信のためにリソースの割り当てを決定するための手段であって、前記割り当ては、少なくとも一つのＨ−ＡＲＱインターレースについてのものであり、選択するための手段は、もしあれば先行するＨ−ＡＲＱインターレースにおける少なくとも一つのパイロットの配置を決定する手段を具備する、手段と、
該リソースの割り当てに基づいてパイロット配置を決定するための手段であって、異なる数のフレーム、異なる数のＨ-ＡＲＱインターレース、または異なる数のサブキャリアのいずれかに対応するリソースの異なる割り当てについては異なるパイロット配置が使用される手段と
を具備してなる装置。
【請求項２１】
請求項２０に記載の装置であって、前記割り当ては、少なくとも一つのフレームを含んでなり、また前記選択するための手段は、
もしあれば少なくとも一つの先のフレームにおける少なくとも一つのパイロットの配置に基づいて、各フレームにおける少なくとも一つのパイロットの配置を決定するための手段を含んでなる装置。
【請求項２２】
請求項２０に記載の装置であって、前記パイロットは時間分割多重化（ＴＤＭ）パイロットを含んでなり、また前記選択するための手段は、
リソースの割り当てに基づいて、ＴＤＭパイロットの各々の配置を決定するための手段を含んでなる装置。
【請求項２３】
請求項２０に記載の装置であって、前記パイロットは単一キャリア周波数分割多重アクセス（ＳＣ−ＦＤＭＡ）、または直交周波数分割多重アクセス（ＯＦＤＭＡ）を使用して送られる装置。
【請求項２４】
少なくとも一つのプロセッサであって、該プロセッサは、
少なくとも一つの先の送信における少なくとも一つのパイロットの少なくとも一つの位置に基づいて、現在の送信または受信における少なくとも一つのパイロットの少なくとも一つの位置を決定するように；また、
チャンネル情報を得るために、現在の送信および少なくとも一つの先の送信において受信されたパイロットを処理するように
構成されたプロセッサと；および
前記少なくとも一つのプロセッサに結合されたメモリーであって、少なくとも一つのプロセッサは、多重Ｈ-ＡＲＱインターレース上の現在の送信および少なくとも一つの先の送信を受信するように構成されている、メモリーと
を具備してなる装置であって、
前記パイロットは時間分割多重化（ＴＤＭ）パイロットを含んでなり、また前記少なくとも一つのプロセッサは、少なくとも一つの先の送信または受信における少なくとも一つのＴＤＭパイロットの少なくとも一つの位置に基づいて、現在の送信または受信における少なくとも一つのＴＤＭパイロットの少なくとも一つの位置を決定するように構成されている、装置。
【請求項２５】
請求項２４に記載の装置であって、前記少なくとも一つのプロセッサは、
連続するフレームにおける現在の送信または受信および少なくとも一つの先の送信を受信するように構成される装置。
【請求項２６】
請求項２４に記載の装置であって、前記チャンネル情報が、チャンネル周波数応答推定値、チャンネルインパルス応答推定値、受信された信号品質推定値、干渉推定値、またはそれらの組合せを含んでなる装置。
【請求項２７】
パイロットオーバーヘッドを減少させながら良好な特性を得るために、設定可能なパイロットを効率的な方法で送信または受信するための方法であって、
異なる数のフレーム、異なる数のＨ-ＡＲＱインターレース、または異なる数のサブキャリアのいずれかに対応するリソースの割り当てを決定することと、
少なくとも一つの先の送信における少なくとも一つのパイロットの少なくとも一つの位置に基づいて、現在の送信または受信における少なくとも一つのパイロットの少なくとも一つの位置を決定することと；
チャンネル情報を得るために、現在の送信または受信および少なくとも一つの先の送信または受信において受信されたパイロットを処理することと
を含んでなる方法であって、
前記パイロットは時間分割多重化（ＴＤＭ）パイロットを含んでなり、また前記現在の送信または受信における少なくとも一つのパイロットの少なくとも一つの位置を決定することは、
少なくとも一つの先の送信における少なくとも一つのＴＤＭパイロットの配置に基づいて、現在の送信または受信における少なくとも一つのＴＤＭパイロットの少なくとも一つの位置を決定することを含んでなる、方法。
【請求項２８】
請求項２７に記載の方法であって、更に、
連続するフレームにおける現在の送信および少なくとも一つの先の送信を受信することを含んでなる方法。
【請求項２９】
パイロットオーバーヘッドを減少させながら良好な特性を得るために、設定可能なパイロットを効率的な方法で送信または受信するための装置であって、
異なる数のフレーム、異なる数のＨ-ＡＲＱインターレース、または異なる数のサブキャリアのいずれかに対応するリソースの異なる割り当てを決定するための手段と、
少なくとも一つの先の送信または受信における少なくとも一つのパイロットの少なくとも一つの位置に基づいて、現在の送信または受信における少なくとも一つのパイロットの配置を決定するための手段と；
チャンネル情報を得るために、現在の送信または受信および少なくとも一つの先の送信または受信において受信されたパイロットを処理するための手段と
を具備してなる装置であって、
前記パイロットは時間分割多重化（ＴＤＭ）パイロットを含んでなり、また前記現在の送信または受信における少なくとも一つのパイロットの少なくとも一つの位置を決定するための手段は、
少なくとも一つの先の送信または受信における少なくとも一つのＴＤＭパイロットの少なくとも一つの位置に基づいて、現在の送信または受信における少なくとも一つのＴＤＭパイロットの少なくとも一つの位置を決定するための手段を含んでなる、装置。
【請求項３０】
請求項２９に記載の装置であって：更に、
連続するフレームにおいて現在の送信および少なくとも一つの先の送信を受信するための手段を含んでなる装置。
【請求項３１】
パイロットオーバーヘッドを減少させながら良好な特性を得るために、設定可能なパイロットを効率的な方法で送信または受信するために、異なる数のフレーム、異なる数のＨ-ＡＲＱインターレース、または異なる数のサブキャリアのいずれかに対応するリソースの割り当てに基づいて送信のための設定可能なパイロットの配置を決定するための１つまたは複数のプロセッサによって実行されることができる命令を含む非一時的プロセッサ読み取り可能な媒体であって、該命令は、
少なくとも一つの先の送信または受信における少なくとも一つのパイロットの少なくとも一つの位置に基づいて、現在の送信または受信における少なくとも一つのパイロットの少なくとも一つの位置を決定するための命令と；
チャンネル情報を得るために、現在の送信または受信および少なくとも一つの先の送信または受信において受信されたパイロットを処理するための命令と
を含んでなる媒体であって、
前記パイロットは時間分割多重化（ＴＤＭ）パイロットを含んでなり、また前記少なくとも一つのプロセッサは、少なくとも一つの先の送信または受信における少なくとも一つのＴＤＭパイロットの少なくとも一つの位置に基づいて、現在の送信または受信における少なくとも一つのＴＤＭパイロットの少なくとも一つの位置を決定するように構成されている、媒体。
【手続補正２】
【補正対象書類名】明細書
【補正対象項目名】００７３
【補正方法】変更
【補正の内容】
【００７３】
開示された実施形態の上記説明は、当業者が本発明を製造または使用することを可能にするために提供されるものである。これら実施形態の種々の変更は、当業者には容易に明らかであり、またここに定義された一般的原理は、本発明の精神または範囲から逸脱することなく、他の実施形態に適用されてよい。従って、本発明はここに示された実施形態に限定されること意図するものではなく、ここに開示した原理および新規な特徴に一致する最も広い範囲と調和するものである。
以下に、本願出願の当初の特許請求の範囲に記載された発明を付記する。
[Ｃ１]
少なくとも一つのプロセッサと、該少なくとも一つのプロセッサに結合されたメモリーとを具備した装置であって、前記プロセッサは、
無線通信システムにおける送信のためにリソースの割り当てを決定するように構成され、
またリソースの割り当てに基づいてパイロットを選択し、ここでは、リソースの異なる割り当てのために異なるパイロット配置が使用されるように構成される装置。
[Ｃ２]
Ｃ１に記載の装置であって、前記割り当ては少なくとも一つのフレームを含んでなり、各フレームは予め定められた持続時間に亘っている装置。
[Ｃ３]
Ｃ２に記載の装置であって、前記少なくとも一つのプロセッサは、もしあれば少なくとも一つの先のフレームにおける少なくとも一つのパイロットの配置に基づいて、各フレームにおける少なくとも一つのパイロットの配置を決定することによって選択するように構成される装置。
[Ｃ４]
Ｃ２に記載の装置であって、前記少なくとも一つのプロセッサは、もしあれば少なくとも一つの先のフレームにおける少なくとも一つのパイロットについて使用された少なくとも一つのシンボル周期に基づいて、各フレームにおける少なくとも一つのパイロットについて使用するための少なくとも一つのシンボル周期を決定するように構成される装置。
[Ｃ５]
Ｃ２に記載の装置であって、前記パイロットは、前記少なくとも一つのフレームに亘って均一に配置される装置。
[Ｃ６]
Ｃ１に記載の装置であって、前記割り当ては、少なくとも一つのＨ−ＡＲＱインターレースについてのものであり、また前記少なくとも一つのプロセッサは、
前記少なくとも一つのＨ−ＡＲＱインターレースの各々における少なくとも一つのパイロットの配置を決定するように構成される装置。
[Ｃ７]
Ｃ６に記載の装置であって、前記各Ｈ−ＡＲＱインターレースにおける前記少なくとも一つのパイロットの配置は、前記割り当てにおけるＨ−ＡＲＱインターレースの数に基づいて決定される装置。
[Ｃ８]
Ｃ６に記載の装置であって、前記各Ｈ−ＡＲＱインターレースにおける前記少なくとも一つのパイロットの配置は、もしあれば先行するＨ−ＡＲＱインターレースにおける少なくとも一つのパイロットの配置に基づいて決定される装置。
[Ｃ９]
Ｃ１に記載の装置であって、異なるパイロットパターンはリソースの異なる割り当てに関連しており、また前記少なくとも一つのプロセッサは、
前記リソースの割り当てに基づいてパイロットについて使用するための少なくとも一つのパイロットパターンを決定するように構成される装置。
[Ｃ１０]
Ｃ２に記載の装置であって、前記少なくとも一つのプロセッサは、
もしあれば先のフレームについてのパイロットパターンに基づいて、各フレームについて使用するためのパイロットパターンを決定するように構成される装置。
[Ｃ１１]
Ｃ１に記載の装置であって、前記パイロットは時間分割多重化（ＴＤＭ）パイロットを含んでなり、また前記少なくとも一つのプロセッサは、
リソースの割り当てに基づいてＴＤＭパイロットの各々の配置を決定するように構成される装置。
[Ｃ１２]
Ｃ１に記載の装置であって、前記少なくとも一つのプロセッサは、
前記パイロットの配置により決定された時間および周波数位置において、前記パイロットを送るように構成される装置。
[Ｃ１３]
Ｃ１に記載の装置であって、前記少なくとも一つのプロセッサは、
前記パイロットの配置により決定された時間および周波数位置から前記パイロットを受信するように構成される装置。
[Ｃ１４]
Ｃ１に記載の装置であって、前記パイロットは、インターリーブ周波数分割多重アクセス（ＩＦＤＭＡ）を使用して送られる装置。
[Ｃ１５]
Ｃ１に記載の装置であって、前記パイロットは、単一キャリア周波数分割多重アクセス（ＳＣ−ＦＤＭＡ）、または直交周波数分割多重アクセス（ＯＦＤＭＡ）を使用して送られる装置。
[Ｃ１６]
Ｃ１に記載の装置であって、前記リソースの割り当てが静的であり、全体の送信のために使用される装置。
[Ｃ１７]
Ｃ１に記載の装置であって、前記リソースの割り当てが動的であり、送信の間に変化し得る装置。
[Ｃ１８]
無線通信システムにおける送信のためのリソースの割り当てを決定することと；
該リソースの割り当てに基づいてパイロット配置を選択することを含んでなる方法であって、
リソースの異なる割り当てについては異なるパイロット配置が使用される方法。
[Ｃ１９]
Ｃ１８に記載の方法であって、前記割り当ては少なくとも一つのフレームを含んでなり、前記選択することは、
もしあれば少なくとも一つの先のフレームにおける少なくとも一つのパイロットの配置に基づいて、各フレームにおける少なくとも一つのパイロットの配置を決定することを含んでなる方法。
[Ｃ２０]
Ｃ１８に記載の方法であって、前記割り当ては少なくとも一つのＨ−ＡＲＱインターレースを含んでなり、また前記選択することは、
もしあれば先行するＨ−ＡＲＱインターレースにおけるにおける少なくとも一つのパイロットの配置に基づいて、各Ｈ−ＡＲＱインターレースにおける少なくとも一つのパイロットの配置を決定することを含んでなる方法。
[Ｃ２１]
Ｃ１８に記載の方法であって、前記パイロットは時間分割多重化（ＴＤＭ）パイロットを含んでなり、また前記選択することは、
前記リソースの割り当てに基づいて、前記ＴＤＭパイロットの各々の配置を決定することを含んでなる方法。
[Ｃ２２]
Ｃ１８に記載の装置であって、前記パイロットは、単一キャリア周波数分割多重アクセス（ＳＣ−ＦＤＭＡ）、または直交周波数分割多重アクセス（ＯＦＤＭＡ）を使用して送られる方法。
[Ｃ２３]
無線通信システムにおける送信のためにリソースの割り当てを決定するための手段と；
該リソースの割り当てに基づいてパイロット配置を決定するための手段であって、リソースの異なる割り当てについては異なるパイロット配置が使用される手段と
を具備してなる装置。
[Ｃ２４]
Ｃ２３に記載の装置であって、前記割り当ては、少なくとも一つのフレームを含んでなり、また前記選択するための手段は、
もしあれば少なくとも一つの先のフレームにおける少なくとも一つのパイロットの配置に基づいて、各フレームにおける少なくとも一つのパイロットの配置を決定するための手段を含んでなる装置。
[Ｃ２５]
Ｃ２３に記載の装置であって、前記割り当ては、少なくとも一つのＨ−ＡＲＱインターレースを含んでなり、また前記選択するための手段は、
もしあれば先行するＨ−ＡＲＱインターレースにおける少なくとも一つのパイロットの配置に基づいて、各Ｈ−ＡＲＱインターレースにおける少なくとも一つのパイロットの配置を決定するための手段を含んでなる装置。
[Ｃ２６]
Ｃ２３に記載の装置であって、前記パイロットは時間分割多重化（ＴＤＭ）パイロットを含んでなり、また前記選択するための手段は、
リソースの割り当てに基づいて、ＴＤＭパイロットの各々の配置を決定するための手段を含んでなる装置。
[Ｃ２７]
Ｃ２３に記載の装置であって、前記パイロットは単一キャリア周波数分割多重アクセス（ＳＣ−ＦＤＭＡ）、または直交周波数分割多重アクセス（ＯＦＤＭＡ）を使用して送られる装置。
[Ｃ２８]
プロセッサが読み取り可能な媒体であって、１以上のプロセッサによって実行され得る命令をその上に含んでおり、該命令は、
無線通信における送信のためのリソースの割り当てを決定するための命令と；
該リソースの割り当てに基づいてパイロット配置を選択するための命令であって、リソースの異なる割り当てについては異なるパイロット配置が使用される命令と
を含んでなる媒体。
[Ｃ２９]
少なくとも一つのプロセッサであって、該プロセッサは、
少なくとも一つの先の送信における少なくとも一つのパイロットの少なくとも一つの位置に基づいて、現在の送信における少なくとも一つのパイロットの少なくとも一つの位置を決定するように；また、
チャンネル情報を得るために、現在の送信および少なくとも一つの先の送信において受信されたパイロットを処理するように
構成されたプロセッサと；
前記少なくとも一つのプロセッサに結合されたメモリーと
を具備してなる装置。
[Ｃ３０]
Ｃ２９に記載の装置であって、前記パイロットは時間分割多重化（ＴＤＭ）パイロットを含んでなり、また前記少なくとも一つのプロセッサは、
少なくとも一つの先の送信における少なくとも一つのＴＤＭパイロットの少なくとも一つの位置に基づいて、現在の送信における少なくとも一つのＴＤＭパイロットの少なくとも一つの位置を決定するように構成される装置。
[Ｃ３１]
Ｃ２９に記載の装置であって、前記少なくとも一つのプロセッサは、
連続するフレームにおける現在の送信および少なくとも一つの先の送信を受信するように構成される装置。
[Ｃ３２]
Ｃ２９に記載の装置であって、前記少なくとも一つのプロセッサは、
多重Ｈ−ＡＲＱインターレース上の現在の送信および少なくとも一つの先の送信を受信するように構成される装置。
[Ｃ３３]
Ｃ２９に記載の装置であって、前記チャンネル情報が、チャンネル周波数応答推定値、チャンネルインパルス応答推定値、受信された信号品質推定値、干渉推定値、またはそれらの組合せを含んでなる装置。
[Ｃ３４]
少なくとも一つの先の送信における少なくとも一つのパイロットの少なくとも一つの位置に基づいて、現在の送信における少なくとも一つのパイロットの少なくとも一つの位置を決定することと；
チャンネル情報を得るために、現在の送信および少なくとも一つの先の送信において受信されたパイロットを処理することと
を含んでなる方法。
[Ｃ３５]
Ｃ３４に記載の方法であって、前記パイロットは時間分割多重化（ＴＤＭ）パイロットを含んでなり、また前記現在の送信における少なくとも一つのパイロットの少なくとも一つの位置を決定することは、
少なくとも一つの先の送信における少なくとも一つのＴＤＭパイロットの配置に基づいて、現在の送信における少なくとも一つのＴＤＭパイロットの少なくとも一つの位置を決定することを含んでなる方法。
[Ｃ３６]
Ｃ３４に記載の方法であって、更に、
連続するフレームにおける現在の送信および少なくとも一つの先の送信を受信することを含んでなる方法。
[Ｃ３７]
少なくとも一つの先の送信における少なくとも一つのパイロットの少なくとも一つの位置に基づいて、現在の送信における少なくとも一つのパイロットの配置を決定するための手段と；
チャンネル情報を得るために、現在の送信および少なくとも一つの先の送信において受信されたパイロットを処理するための手段と
を具備してなる装置。
[Ｃ３８]
Ｃ３７に記載の装置であって、前記パイロットは時間分割多重化（ＴＤＭ）パイロットを含んでなり、また前記現在の送信における少なくとも一つのパイロットの少なくとも一つの位置を決定するための手段は、
少なくとも一つの先の送信における少なくとも一つのＴＤＭパイロットの少なくとも一つの位置に基づいて、現在の送信における少なくとも一つのＴＤＭパイロットの少なくとも一つの位置を決定するための手段を含んでなる装置。
[Ｃ３９]
Ｃ３７に記載の装置であって：更に、
連続するフレームにおいて現在の送信および少なくとも一つの先の送信を受信するための手段を含んでなる装置。
[Ｃ４０]
プロセッサが読み取り可能な媒体であって、１以上のプロセッサによって実行され得る命令をその上に含んでおり、該命令は、
少なくとも一つの先の送信における少なくとも一つのパイロットの少なくとも一つの位置に基づいて、現在の送信における少なくとも一つのパイロットの少なくとも一つの位置を決定するための命令と；
チャンネル情報を得るために、現在の送信および少なくとも一つの先の送信において受信されたパイロットを処理するための命令と
を含んでなる媒体。
【外国語明細書】
2011254488000001.pdf